(57)【要約】【課題】液晶表示パネルの入力端子とフレキシブル回路基板間の出力端子との間の強度を的確に確保でき、フレキシブル回路基板を折り曲げても出力端子が剥がれにくい液晶表示装置を提供する。【解決手段】フレキシブル回路基板５の出力端子１２と、液晶表示パネル１の入力端子１３とを接続する。出力端子１２間のピッチ幅Ｐに対する出力端子１２の端子下部２２の幅寸法ＷＤの比を２０／１１より大きく２０／７より小さくする。液晶表示パネル１の入力端子１３とフレキシブル回路基板５間の出力端子１２との間の強度を的確に確保できる。フレキシブル回路基板５を折り曲げても液晶表示パネル１から出力端子１２が剥がれにくい。【選択図】　　　　図１
2004045762.tif 000002
【特許請求の範囲】
【請求項１】
平面表示パネルと、
この平面表示パネルに所定ピッチで設けられた複数のパネル端子部と、
前記平面表示パネルに接続される可撓性を有する回路基板と、
この回路基板に前記複数のパネル端子部に等しい所定ピッチで設けられこれら複数のパネル端子部にそれぞれが接続される複数の回路端子部とを備え、
これら複数の回路端子部間のピッチ幅に対するこれら各回路端子部の前記回路基板に接続されている部分の幅の比が、２０／１１より大きく２０／７より小さい
ことを特徴とした平面表示装置。
【請求項２】
複数の回路端子部の平面表示パネルに接続する部分の幅は、前記各回路端子部の前記回路基板に接続されている部分の幅より狭く、
前記複数の回路端子部間のピッチ幅に対するこれら各回路端子部の平面表示パネルに接続する部分の幅の比が、４０／１９より大きく４０／１１より小さい
ことを特徴とした請求項１記載の平面表示装置。
【発明の詳細な説明】
【０００１】
【発明の属する技術分野】
本発明は、平面表示パネルを回路基板で駆動させる平面表示装置に関する。
【０００２】
【従来の技術】
従来、この種の平面表示装置としての液晶表示装置は、平面表示パネルとしての矩形平板状の液晶表示パネルを備えており、この液晶表示パネルの一主面には、複数の表示画素がマトリクス状に配列されている。そして、この液晶表示パネルの一端部には、断面矩形柱状のパネル端子部としての複数の入力端子が所定ピッチで設けられている。
【０００３】
また、この液晶表示パネルには、この液晶表示パネルの各表示画素を駆動させる信号を供給するフレキシブル回路基板の一端部が接続されている。このフレキシブル回路基板は、可撓性を有したフィルム体にて形成されている。また、このフレキシブル回路基板の一端部には、断面矩形柱状のパネル端子部としての複数の出力端子が液晶表示パネルの入力端子に等しい所定ピッチで設けられている。
【０００４】
そして、これらフレキシブル回路基板と液晶表示パネルとの接続部である圧着部では、液晶表示パネルの入力端子とフレキシブル回路基板の出力端子との接続を、プラスチックフレームあるいは金属フレームなどで挟み込んだり、またはテープや紫外線硬化樹脂などで固定することにより、外的応力に対して保護している。
【０００５】
近年、上述した液晶表示装置に代表される平面表示装置は、携帯電話あるいはモバイル機器などに多用されている。そして、これら携帯電話あるいはモバイル機器では、製品の軽量化、省スペース化あるいは低コストが求められており、製品の駆動基板と平面表示装置の駆動基板を兼ねる場合が増えている。
【０００６】
【発明が解決しようとする課題】
しかしながら、上述した液晶表示装置では、液晶表示パネルの入力端子およびフレキシブル回路基板の出力端子のそれぞれの幅寸法を大きくして、これら入力端子と出力端子との間の接続強度を確保しようとした場合には、これら出力端子を入力端子に接続させた状態で、このフレキシブル回路基板を液晶表示パネルに対して折り曲げた際に剥がれてしまうので、これら出力端子と入力端子との間の接続強度を規格された強さほど確保できない。
【０００７】
また、液晶表示パネルの入力端子およびフレキシブル回路基板の出力端子のそれぞれの幅寸法を小さくした場合には、これら入力端子および出力端子での接続抵抗が高くなり、これら入力端子および出力端子による液晶表示パネルとフレキシブル回路基板との電気的接続が好ましくないという問題を有している。
【０００８】
本発明は、このような点に鑑みなされたもので、平面表示パネルのパネル端子部と回路基板の回路端子部との間の強度を的確に確保でき、回路基板を折り曲げても剥がれにくい平面表示装置を提供することを目的とする。
【０００９】
【課題を解決するための手段】
本発明は、平面表示パネルと、この平面表示パネルに所定ピッチで設けられた複数のパネル端子部と、前記平面表示パネルに接続される可撓性を有する回路基板と、この回路基板に前記複数のパネル端子部に等しい所定ピッチで設けられこれら複数のパネル端子部にそれぞれが接続される複数の回路端子部とを備え、これら複数の回路端子部間のピッチ幅に対するこれら各回路端子部の前記回路基板に接続されている部分の幅の比が、２０／１１より大きく２０／７より小さいものである。
【００１０】
そして、平面表示パネルの入力端子に接続される複数の回路端子部間のピッチ幅に対するこれら各回路端子部における回路基板に接続されている部分の幅の比を、２０／１１より大きく２０／７より小さくすることにより、パネル端子部と回路端子部との間の強度を的確に確保しつつ、この回路基板を平面表示パネルに対して折り曲げても、この回路基板から回路端子部が剥がれにくい。
【００１１】
【発明の実施の形態】
以下、本発明の平面表示装置の一実施の形態の構成を図１ないし図５を参照して説明する。
【００１２】
図１ないし図５において、１は平面表示パネルとしての液晶表示パネルであり、この液晶表示パネル１は平面状の表示装置である。また、この液晶表示パネル１は、一主面上である裏面側の所定の位置に図示しない複数の表示画素電極がマトリクス状に配列されて有効表示領域が形成された矩形平板状のアレイ基板２を備えている。また、このアレイ基板２に対向して、このアレイ基板２より小さな矩形平板状の対向基板３が取り付けられている。そして、これらアレイ基板２と対向基板３との間には、図示しない液晶が介挿されている。さらに、これらアレイ基板２および対向基板３のそれぞれは矩形状枠状のフレーム４内に取り付けられている。
【００１３】
また、液晶表示パネル１におけるアレイ基板２の長手方向の一端部には、この液晶表示パネル１を表示駆動させる信号を伝達するフレキシブル回路基板（Ｆｌｅｘｉｂｌｅ　Ｐｒｉｎｔ　Ｃｉｒｃｕｉｔ：ＦＰＣ）５の長手方向における一端部が接続されている。このフレキシブル回路基板５は、可撓性を有するフィルム体にて構成されている。また、このフレキシブル回路基板５の裏面側には、ＩＣチップなどにて構成された駆動回路としてのドライバ回路６が取り付けられている。このドライバ回路６は、液晶表示パネル１を表示駆動させる。
【００１４】
さらに、このフレキシブル回路基板５の長手方向における一端縁の裏面側には、回路端子部としての複数の出力端子１２が形成されている。これら複数の出力端子１２は、フレキシブル回路基板５の長手方向における一端縁に沿って互いに等間隔に離間されて所定の等しいピッチ幅Ｐで取り付けられている。また、これら複数の出力端子１２は、これら複数の出力端子１２それぞれにおける液晶表示パネル１に接続する部分、すなわち上端縁である端子上部２１の幅寸法ＷＵが、これら複数の出力端子１２それぞれにおけるフレキシブル回路基板５に接続されている部分、すなわち下端縁である端子下部２２の幅寸法ＷＤより狭くされて、断面矩形の台形状に形成されている。
【００１５】
一方、これら複数の出力端子１２に対向したアレイ基板２の長手方向における一端縁の表面側には、パネル端子部としての複数の入力端子１３が形成されている。これら複数の入力端子１３は、アレイ基板２の長手方向における一端縁に沿って互いに等間隔に離間されて、出力端子１２に等しい所定のピッチ幅Ｐで取り付けられている。
【００１６】
そして、これら入力端子１３と出力端子１２とのそれぞれの間には、図１に示すように、これら入力端子１３と出力端子１２とを圧着にて接続させるシート状の圧着手段としての異方性導電膜（Ａｎｉｓｏｔｒｏｐｙ　Ｃｏｎｄｕｃｔｉｖｅ　Ｆｉｌｍ：ＡＣＦ）１４が取り付けられている。この異方性導電膜１４は、液晶表示パネル１とフレキシブル回路基板５との間に挟み込まれた状態で、これら液晶表示パネル１とフレキシブル回路基板５とを熱圧着させている。
【００１７】
さらに、この異方性導電膜１４は、熱硬化性樹脂１５内に、銀（Ａｇ）粒子である導電粒子１６を介在させることにより構成されている。そして、これら各導電粒子１６は、アレイ基板２の入力端子１３とフレキシブル回路基板５の出力端子１２とで導電粒子１６を押し潰すことにより、これら入力端子１３と出力端子１２とを電気的に導電させる。一方、熱硬化性樹脂１５は、フレキシブル回路基板５とアレイ基板２との間に充填されて熱硬化されることにより、これらフレキシブル回路基板５とアレイ基板２とを機械的に接続させている。
【００１８】
次に、上記一実施の形態の作用を説明する。
【００１９】
まず、図４に示すように、液晶表示パネル１に接続されたフレキシブル回路基板５の長手方向における一端部を湾曲させると、このフレキシブル回路基板５と液晶表示パネル１との間の異方性導電膜１４に、フレキシブル回路基板５の長手方向における他端部に向かう応力Ｆが掛かる。
【００２０】
この応力Ｆは、液晶表示パネル１とフレキシブル回路基板５とを異方性導電膜１４にて圧着させた状態から、これら液晶表示パネル１とフレキシブル回路基板５とを製品に組み込む際にかかる力、あるいは、これら液晶表示パネル１およびフレキシブル回路基板５を製品内に納められた後の衝撃や振動などで掛かる力である。
【００２１】
そして、これら液晶表示パネル１とフレキシブル回路基板５との間の異方性導電膜１４による接着強度は、液晶表示パネル１の入力端子１３とフレキシブル回路基板５の出力端子１２の圧着強度で決まるものではなく、導電粒子１６が充填されて熱硬化性樹脂１５にて硬化された入力端子１３と出力端子１２との間の接着強度で決まる。
【００２２】
このため、これら出力端子１２および入力端子１３それぞれの幅を狭くしてピッチ幅Ｐを広くすることにより、導電粒子１６が充填されて熱硬化性樹脂１５が硬化した出力端子１２および入力端子１３間の接着強度が向上する。
【００２３】
上述したように、上記一実施の形態によれば、図５に示すように、フレキシブル回路基板５の複数の各出力端子１２は台形状に形成されており、これら各出力端子１２における端子上部２１は、液晶表示パネル１の入力端子１３に対して導電粒子１６を介して導電されている。そして、これら各出力端子１２におけるピッチ幅Ｐは、これら各出力端子１２における端子下部２２により決定する。
【００２４】
このため、フレキシブル回路基板５による液晶表示パネル１への確実な導通を確保するためには、このフレキシブル回路基板５の各出力端子１２それぞれの端子上部２１の幅寸法ＷＵが重要となる。また、これら各出力端子１２によるフレキシブル回路基板５と液晶表示パネル１との間の接着強度を確保するためには、これら各出力端子１２それぞれの端子下部２２の幅寸法ＷＤが重要となる。
【００２５】
ところが、これら各出力端子１２それぞれの端子下部２２の幅寸法ＷＤを狭くすることにより、これら各出力端子１２それぞれの端子上部２１の幅寸法ＷＵも狭くなってしまい、液晶表示パネル１の各入力端子１３との間での接続抵抗が高くなり、これら出力端子１２と入力端子１３との間の導電が確保しにくくなる。このため、これら各出力端子１２それぞれの端子上部２１の幅寸法ＷＵを確保できる範囲で、これら各出力端子１２それぞれの端子下部２２の幅寸法ＷＤを確定する必要がある。
【００２６】
ここで、これら各出力端子１２が、例えば０．２ｍｍのピッチ幅Ｐである１００Ｐｉｎの製品の場合には、実験結果により図２に示すような接着強度（ピール強度）と端子下部２２の幅寸法ＷＤの関係となる。
【００２７】
このため、一般に使用に耐える範囲である±０．０２ｍｍを有効範囲として、フレキシブル回路基板５の各出力端子１２の端子上部２１の幅寸法ＷＵを０．０７５ｍｍ±０．０２ｍｍとするとともに、これら各出力端子１２それぞれの端子下部２２の幅寸法ＷＤを０．０９ｍｍ±０．０２ｍｍとすることにより、これら各出力端子１２によるフレキシブル回路基板５と液晶表示パネル１との間の図２に示す規格強度Ｓを確保でき、このフレキシブル回路基板５の各出力端子１２それぞれによる液晶表示パネル１の各入力端子１３との導電を確保できる。
【００２８】
言い換えると、これら各出力端子１２のピッチ幅Ｐが０．２ｍｍであるので、このピッチ幅Ｐに対する各出力端子１２の端子下部２２の幅寸法ＷＤの比を、（０．２ｍｍ）／（０．０９ｍｍ＋０．０２ｍｍ）＝２０／１１より大きく、（０．２ｍｍ）／（０．０９ｍｍ−０．０２ｍｍ）＝２０／７より小さくするとともに、このピッチ幅Ｐに対する各出力端子１２の端子上部２１の幅寸法ＷＵの比を、（０．２ｍｍ）／（０．０７５ｍｍ＋０．０２ｍｍ）＝４０／１９より大きく、（０．２ｍｍ）／（０．０７５ｍｍ−０．０２ｍｍ）＝４０／１１より小さくすることにより、規格強度Ｓを確保でき、各出力端子１２と各入力端子１３との導電を確保できる。
【００２９】
よって、これら液晶表示パネル１とフレキシブル回路基板５との間の規格強度Ｓを、これら液晶表示パネル１とフレキシブル回路基板５との間の異方性導電膜１４による圧着のみで確保できるとともに、テープや紫外線硬化樹脂などの原材料を削減でき、作業工程数をも削減できる。このため、液晶表示パネル１とフレキシブル回路基板５との接続強度が向上して高品質な液晶表示装置を提供できるとともに、この液晶表示装置の製造コストの削減が可能となる。また、原材料の削減により軽量化が可能となるとともに、製品の軽量化や省スペース化が可能となる。
【００３０】
なお、上記一実施の形態では、液晶表示装置を構成する液晶表示パネル１とフレキシブル回路基板５とを接続させる異方性導電膜１４について説明したが、エレクトロルミネッセンス（ＥｌｅｃｔｒｏＬｕｍｉｎｅｓｃｅｎｃｅ：ＥＬ）装置などの平面表示装置を構成するＥＬパネルなどの平面表示パネルと、この平面表示パネルを駆動させるフレキシブル回路基板とを接続させる異方性導電膜であっても、上記一実施の形態と同様の作用効果を奏することができる。
【００３１】
【発明の効果】
本発明によれば、平面表示パネルのパネル端子部に接続される複数の回路端子部間のピッチ幅に対するこれら各回路端子部における回路基板に接続されている部分の幅の比を、２０／１１より大きく２０／７より小さくすることにより、パネル端子部と回路端子部との間の強度を的確に確保しつつ、この回路基板を平面表示パネルに対して折り曲げた際に、この回路基板に対して回路端子部を剥がれにくできる。
【図面の簡単な説明】
【図１】本発明の平面表示装置の一実施の形態の一部を示す説明断面図である。
【図２】同上平面表示装置の端子部の回路基板側の幅に対する接着強度を示す二次グラフである。
【図３】同上平面表示装置を示す平面図である。
【図４】同上平面表示装置の端子部に加わる応力の方向を示す説明図である。
【図５】同上平面表示装置の端子部を示す説明図である。
【符号の説明】
１　　平面表示パネルとしての液晶表示パネル
５　　回路基板としてのフレキシブル回路基板
１２　　回路端子部としての出力端子
１３　　パネル端子部としての入力端子
【図１】
2004045762.tif 000003
【図２】
2004045762.tif 000004
【図３】
2004045762.tif 000005
【図４】
2004045762.tif 000006
【図５】
2004045762.tif 000007